(57)【要約】【課題】カールを防止するための水性液が画像を形成する液滴着弾面まで浸透して画像品質が低下する。【解決手段】用紙１０に染料又は顔料を含むインクの液滴１００を吐出して画像を形成する記録ヘッド４１と、用紙１０にインクよりも浸透性の高い水性浸透液の液滴１１１を吐出する浸透液ヘッド７１とを備え、浸透液ヘッド７１は、用紙１０の記録ヘッド４１からの液滴１００が着弾する又は着弾した領域以外の領域に水性浸透液の液滴１１１を吐出して塗布する。【選択図】図５
2014043030.tif 000002
【特許請求の範囲】
【請求項１】
用紙に染料又は顔料を含む液体の液滴を吐出して画像を形成する記録ヘッドと、
前記用紙に前記液体よりも浸透性の高い水性の浸透液を塗布する浸透液塗布手段と、を備え、
前記浸透液塗布手段は、前記用紙の画像を形成する面の、前記記録ヘッドからの前記液滴が着弾する又は着弾した領域以外に、前記浸透液を塗布する
ことを特徴とする画像形成装置。
【請求項２】
用紙に染料又は顔料を含む液体の液滴を吐出して画像を形成する記録ヘッドと、
前記用紙に前記液体よりも浸透性の高い水性の浸透液を塗布する浸透液塗布手段と、を備え、
前記浸透液塗布手段は、前記用紙の画像を形成する面と反対の面の、前記記録ヘッドからの前記液滴が着弾する又は着弾した領域に対向する領域以外の領域に、前記浸透液を塗布する
ことを特徴とする画像形成装置。
【請求項３】
前記用紙の両面に前記記録ヘッドから前記液滴を着弾させるときには、
前記浸透液塗布手段は、用紙の一方の面の前記記録ヘッドからの前記液滴が着弾し又は着弾した領域以外の領域であって、かつ、前記用紙の他方の面の前記記録ヘッドからの前記液滴が着弾する又は着弾した領域に対向する領域以外の領域に、前記浸透液を塗布する
ことを特徴とする請求項１に記載の画像形成装置。
【請求項４】
前記浸透液塗布手段は、前記水性浸透液の液滴を吐出する手段であることを特徴とする請求項１ないし３のいずれかに記載の画像形成装置。
【請求項５】
前記浸透液塗布手段は、前記用紙上に前記記録ヘッドから前記液滴を着弾させて形成する画像中に前記浸透液のドットを埋め込むことを特徴とする請求項１又は２に記載の画像形成装置。
【請求項６】
前記浸透液塗布手段は、前記用紙に対して×形状に前記浸透液を塗布することを特徴とする請求項１ないし５のいずれかに記載の画像形成装置。
【請求項７】
前記浸透液塗布手段は、前記用紙の周縁部に対して前記浸透液を塗布することを特徴とする請求項１ないし６のいずれかに記載の画像形成装置。
【請求項８】
前記浸透液塗布手段は、前記用紙の目を横切る方向に前記浸透液を塗布することを特徴とする請求項１ないし７のいずれかに記載の画像形成装置。
【発明の詳細な説明】
【技術分野】
【０００１】
本発明は画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）を記録ヘッドに用いた液体吐出記録方式の画像形成装置としてインクジェット記録装置などが知られている。
【０００３】
このような画像形成装置においては、液滴を用紙に付着させることで画像を形成するため、用紙にカールが発生し、ジャム（ＪＡＭ：紙詰まり）が発生しやすくなる。
【０００４】
そこで、従来カールを低減するため、記録ヘッドから液滴を着弾させて画像を形成する画像形成面（印字面）と反対面に透明水性液を付加するようにしたもの（特許文献１、２）が知られている。
【先行技術文献】
【特許文献】
【０００５】
【特許文献１】特開平１０−２７２８２８号公報
【特許文献２】特開平０９−２１６３８９号公報
【発明の概要】
【発明が解決しようとする課題】
【０００６】
しかしながら、上述した従来技術では画像を形成する面（印字面）と反対面に水性液を塗布（本願では、塗布は、付加、付着、着弾などを総称する用語として使用する。）しているが、水性液が印字面側まで浸透することで、画像に影響を与えるおそれがあるという課題がある。
【０００７】
本発明は上記の課題に鑑みてなされたものであり、画像に影響を与えることなくカールを低減することを目的とする。
【課題を解決するための手段】
【０００８】
上記の課題を解決するため、本発明の請求項１に係る画像形成装置は、
用紙に染料又は顔料を含む液体の液滴を吐出して画像を形成する記録ヘッドと、
前記用紙に前記液体よりも浸透性の高い水性の浸透液を塗布する浸透液塗布手段と、を備え、
前記浸透液塗布手段は、前記用紙の画像を形成する面の、前記記録ヘッドからの前記液滴が着弾する又は着弾した領域以外に、前記浸透液を塗布する
構成とした。
【発明の効果】
【０００９】
本発明によれば、画像に影響を与えることなくカールを低減することができる。
【図面の簡単な説明】
【００１０】
【図１】本発明に係る画像形成装置の一例を示す概略構成図である。
【図２】同画像形成装置の記録ヘッドを構成する液体吐出ヘッドの一例を示す液室長手方向の断面説明図である。
【図３】同じく滴吐出動作の説明に供する断面説明図である。
【図４】同画像形成装置の制御部の概要を示すブロック説明図である。
【図５】本発明の第１実施形態における記録液である水性インクの液滴と水性浸透液の液滴の着弾位置関係及び用紙への浸透状態を説明する説明図である。
【図６】水性浸透液の塗布領域の一例の説明に供する用紙上での画像形成領域と浸透液塗布領域の一例を示す平面説明図である。
【図７】画像領域内に浸透液領域を含ませる例の説明に供する説明図である。
【図８】浸透液領域の形成パターンの他の第１例を説明する説明図である。
【図９】同じく他の第２例を説明する説明図である。
【図１０】同じく他の第３例を説明する説明図である。
【図１１】本発明の第２実施形態における記録液である水性インクの液滴と水性浸透液の液滴の着弾位置関係及び用紙への浸透状態を説明する説明図である。
【図１２】本発明に画像形成装置の他の第１例の説明に供する概略構成図である。
【図１３】本発明に画像形成装置の他の第２例の説明に供する概略構成図である。
【発明を実施するための形態】
【００１１】
以下、本発明の実施の形態について添付図面を参照して説明する。まず、本発明に係る画像形成装置の一例について図１を参照して説明する。図１は同画像形成装置の概略説明図である。
【００１２】
この画像形成装置は、フルライン型インクジェット記録装置であり、給紙部１１にスタックされた浸透性を有する被記録媒体である用紙１０を、半月コロからなる給紙コロ１２によって１枚ずつ分離して給紙し、紙間調整ローラ１３によって用紙間のタイミングを補正して用紙搬送機構２１に搬送する。
【００１３】
用紙搬送機構２１は、駆動ローラ２２と従動ローラ２３との間に掛け回された搬送ベルト２４とを有する。搬送ベルト２４は、用紙１０を吸引又は静電力で吸着して周回移動によって、画像形成部２５に対向して用紙１０を搬送する。
【００１４】
画像形成部２５は、用紙搬送方向上流側から搬送される用紙（被記録媒体）１０に対して４色分の染料又は顔料を含む液体であるインク（ブラックＫ，シアンＣ、マゼンタＭ、イエローＹ）の液滴を吐出する４色分のフルライン型液体吐出ヘッドからなる記録ヘッド４１Ｋ、４１Ｃ、４１Ｍ、４１Ｙ（以下、色の区別しないときは「記録ヘッド４１」という。）が配置され、記録ヘッド４１から液滴を吐出することで用紙１０に画像を形成する。なお、色の種類及び数はこれに限るものではない。
【００１５】
また、画像形成部２５の用紙搬送方向下流側には、記録ヘッド４１で画像が形成された用紙１０の画像形成面（印字面）に対してインクよりも浸透性の高い水性浸透液を塗布する浸透液塗布手段であるフルライン型液体吐出ヘッドからなる浸透液ヘッド７１が配置されている。浸透液ヘッド７１は、記録ヘッド４１と同様に、浸透液の液滴を吐出する。
【００１６】
これらの記録ヘッド４１及び浸透液ヘッド７１を構成する液体吐出ヘッドは、例えば、１つのフルライン型吐出ヘッドであっても良いし、複数の短尺ヘッドをベース部材上に千鳥状に並べてヘッドアレイとすることで媒体（用紙）幅分のフルライン型記録ヘッドとして構成したものでも良い。また、記録ヘッド４１は、液体吐出ヘッドとこの液体吐出ヘッドに液体供給するヘッドタンクを有する液体吐出ヘッドユニットで構成してもよいし、液体吐出ヘッド単独の構成でもよい。
【００１７】
そして、画像形成部２５によって所要の画像を形成され、浸透液ヘッド７１によって浸透液が塗布（付着）された用紙１０は排紙部３１に排紙される。
【００１８】
また、浸透液ヘッド７１の用紙搬送方向下流側には、記録ヘッド４１及び浸透液ヘッド７１の維持回復を行う維持回復機構５１が配置されている。維持回復機構５１は矢印方向に移動し、記録ヘッド４１及び浸透液ヘッド７１の維持回復を行うときには、記録ヘッド４１及び浸透液ヘッド７１の下方に移動する。
【００１９】
また、搬送ベルト２４内には、各記録ヘッド４１及び浸透液ヘッド７１に搬送ベルト２４を挟んで対向する空吐出受け６１が配置されている。搬送ベルト２４には紙間空吐出用孔６２が形成されている。そして、記録ヘッド４１及び浸透液ヘッド７１からは、紙間で、空吐出孔６２が対向する空吐出受け６１に位置するタイミングで画像形成等に寄与しない液滴を吐出させる。
【００２０】
さらに、駆動ローラ２２にはエンコーダホイール８１が設けられ、エンコーダホイール８１を読取るエンコーダセンサ８２からの読み取り信号によって、搬送ベルト２４の移動速度及び移動量を検出できる。
【００２１】
次に、記録ヘッドを構成している液体吐出ヘッドの一例について図２及び図３を参照して説明する。図２及び図３は同ヘッドの液室長手方向（ノズル配列方向と直交する方向）に沿う断面説明図である。なお、ここでは、ヘッドアレイ構成のライン型記録ヘッドの構成で用いる液体吐出ヘッドで説明する。
【００２２】
この液体吐出ヘッドは、流路板１０１と、振動板部材１０２と、ノズル板１０３とを接合して、液滴を吐出するノズル１０４が貫通孔１０５を介して通じる個別液室（加圧室、加圧液室、圧力室、個別流路、圧力発生室などと称されるものを含む意味である。以下、単に「液室」という。）１０６、液室１０６に液体を供給する流体抵抗部１０７、液体導入部１０８がそれぞれ形成され、フレーム部材１１７に形成した共通液室１１０から振動板部材１０２に形成されたフィルタ１０９を介して液体（インク）が液体導入部１０８に導入され、液体導入部１０８から流体抵抗部１０７を介して液室１０６にインクが供給される。
【００２３】
流路板１０１は、ＳＵＳなどの金属板を積層して、貫通孔１０５、液室１０６、流体抵抗部１０７、液体導入部１０８などの開口部や溝部をそれぞれ形成している。振動板部材１０２は各液室１０６、流体抵抗部１０７、液体導入部１０８などの壁面を形成する壁面部材であるとともに、フィルタ１０９を形成する部材である。なお、流路板１０１は、ＳＵＳなどの金属板に限らず、シリコン基板を異方性エッチングして形成することもできる。
【００２４】
そして、振動板部材１０２の液室１０６と反対側の面に液室１０６のインクを加圧してノズル１０４から液滴を吐出させるエネルギーを発生する駆動素子（アクチュエータ手段、圧力発生手段）としての柱状の電気機械変換素子である積層型圧電部材１１２が接合されている。この圧電部材１１２の一端部はベース部材１１３に接合され、また、圧電部材１１２には駆動波形を伝達するＦＰＣ（フレキシブルプリント基板）１１５が接続されている。これらによって、圧電アクチュエータ１１１を構成している。
【００２５】
なお、この例では、圧電部材１１２は積層方向に伸縮させるｄ３３モードで使用しているが、積層方向と直交する方向に伸縮させるｄ３１モードでもよい。
【００２６】
このように構成した液体吐出ヘッドにおいては、例えば、図２に示すように、圧電部材１１２に印加する電圧を基準電位Ｖｅから下げることによって圧電部材１１２が収縮し、振動板部材１０２が変形して液室１０６の容積が膨張することで、液室１０６内にインクが流入し、その後、図３に示すように、圧電部材１１２に印加する電圧を上げて圧電部材１１２を積層方向に伸長させ、振動板部材１０２をノズル１０４方向に変形させて液室１０６の容積を収縮させることにより、液室１０６内のインクが加圧され、ノズル１０４から液滴３００が吐出される。
【００２７】
そして、圧電部材１１２に印加する電圧を基準電位Ｖｅに戻すことによって振動板部材１０２が初期位置に復元し、液室１０６が膨張して負圧が発生するので、このとき、共通液室１１０から液室１０６内にインクが充填される。そこで、ノズル１０４のメニスカス面の振動が減衰して安定した後、次の液滴吐出のための動作に移行する。
【００２８】
次に、この画像形成装置の制御部の概要について図４を参照して説明する。図４は同制御部のブロック説明図である。
【００２９】
制御部２００は、この画像形成装置全体の制御を司る本発明における浸透液ヘッド７１の駆動制御手段を兼ねるＣＰＵ２０１、ＣＰＵ２０１が実行するプログラム、その他の固定データを格納するＲＯＭ２０２と、画像データ等を一時格納するＲＡＭ２０３とを備えている。
【００３０】
また、外部Ｉ／Ｆ（インタフェース）２２１と、通信制御部２２２と、読取り制御部２３２と、記録ヘッド４１を駆動制御するためのデータ転送手段、駆動信号発生手段を含む吐出駆動制御部２４１と、浸透液ヘッド７１を駆動制御するためのデータ転送手段、駆動信号発生手段を含む吐出駆動制御部２７１とＩＯ制御部２５１などを備えている。
【００３１】
この制御部２００には、ユーザーが各種操作や設定を行うマンマシンインタフェースとなる操作部２１１及び各種情報を表示する表示部２１２が接続されている。
【００３２】
ここで、外部Ｉ／Ｆ２２１は、ホストコンピュータや電話回線、メモリーカード等の外部との間でデータをやり取りする。通信制御部２２２は、外部Ｉ／Ｆ２２１を構成するＬＡＮやＵＳＢ、電話回線、ＳＤカード等の通信プロトコルを制御する。読取り制御部２３２は、外部に接続されるスキャナ２３１の読み取りの制御を行う。これらの外部Ｉ／Ｆ２２１、スキャナ２３１から取り込まれたデータは、ＲＡＭ２０３上に一時記憶されて、画像処理等を行う。
【００３３】
この画像処理を行うときに、記録ヘッド４１のノズル位置情報はメカニカルな情報であり、個々の装置固有の情報であるので、画像ドットの関係は予め分かっていることから、画像データを各ノズル毎に吐出する順序で並べ替える処理を行う。
【００３４】
ＣＰＵ２０１は、画像データの並び替え処理を行うときに、同じタイミングで吐出動作を行うノズルの数（同時駆動ノズル数）や階調を判断する。
【００３５】
また、各記録ヘッド４１は複数のノズル列を千鳥配置しているので、少なくともノズル列数分の吐出画像データはＲＡＭ２０３上にバッファリングする必要がある。
【００３６】
そして、ＲＡＭ２０３上に一時記憶されている吐出順序に並べ替えられた画像データはＣＰＵ２０１を介在して吐出駆動制御部２４１に順次転送される。
【００３７】
吐出駆動制御部２４１は、受領した画像データをシリアルデータでヘッドドライバ２４２に転送するとともに、この画像データの転送及び転送の確定などに必要な転送クロックやラッチ信号、制御信号などをヘッドドライバ２４２に出力する以外にも、ＲＯＭ２０２に格納されている駆動パルスのパターンデータをＤ／Ａ変換するＤ／Ａ変換器及び電圧増幅器、電流増幅器等で構成される駆動信号生成部を含み、１の駆動パルス或いは複数の駆動パルスで構成される駆動信号をヘッドドライバ２４２に対して出力する。
【００３８】
ヘッドドライバ２４２は、シリアルに入力される記録ヘッド４１の１行分に相当する画像データに基づいて吐出駆動制御部２４１から与えられる駆動信号を構成する駆動パルスを選択的に記録ヘッド４１の液滴を吐出させるエネルギーを発生する駆動素子（例えば上述した圧電部材）に対して印加することで記録ヘッド４１を駆動する。このとき、駆動信号を構成する駆動パルスを選択することによって、例えば、大滴、中滴、小滴など、大きさの異なるドットを打ち分けることができる。
【００３９】
吐出駆動制御部２７１は、記録ヘッド４１で液滴を着弾させた領域（画像データ領域）以外の領域に浸透液の液滴を着弾させるシリアルデータを作成してヘッドドライバ２７２に転送するとともに、この画像データの転送及び転送の確定などに必要な転送クロックやラッチ信号、制御信号などをヘッドドライバ２７２に出力する以外にも、ＲＯＭ２０２に格納されている駆動パルスのパターンデータをＤ／Ａ変換するＤ／Ａ変換器及び電圧増幅器、電流増幅器等で構成される駆動信号生成部を含み、１の駆動パルス或いは複数の駆動パルスで構成される駆動信号をヘッドドライバ２７２に対して出力する。
【００４０】
ヘッドドライバ２４２は、シリアルに入力される浸透液ヘッド７１の１行分に相当する浸透液データに基づいて吐出駆動制御部２７１から与えられる駆動信号を構成する駆動パルスを選択的に浸透液ヘッド７１の液滴を吐出させるエネルギーを発生する駆動素子（例えば上述した圧電部材）に対して印加することで浸透液ヘッド７１を駆動する。このとき、駆動信号を構成する駆動パルスを選択することによって、例えば、大滴、中滴、小滴など、大きさの異なるドットを打ち分けることができる。
【００４１】
ここで、浸透液ヘッド７１によって滴の大きさを打ち分けるのは、記録ヘッド４１から吐出する画像形成用の液滴の大きさに応じて画像中の画像ドット間に浸透液の液滴（浸透液ドット）を打ち込む場合に、画像の解像度に合わせて浸透液ドットを打ち込めるようにするためである。したがって、画像中に浸透液ドットを埋め込まない場合には、このような駆動制御まで必要ではない。
【００４２】
ＩＯ制御部２５１は、用紙の搬送経路である給紙部２６１（給紙コロ１２、紙間調整ローラ１３など）、用紙搬送部２６２（用紙搬送機構２１の駆動ローラ２２など）、排紙部２６４の動作制御を行うほか、記録ヘッド４１のノズルの状態を維持回復する維持回復部２７１（維持回復機構５１の各部）の動作制御も行う。また、本画像形成装置を動作させる各種センサ２８１、各種ソレノイド２８２、各種クラッチ２８３、各種モータ２８４の制御及び検知をも行っている。なお、シリアル型画像形成装置に適用した場合にはヘッド移動部２６３の動作制御も行う。
【００４３】
また、吐出駆動制御部２４１はエンコーダセンサ８２からの検知信号（検知パルス）が入力されており、用紙１０の位置で定まる滴吐出タイミングで、ヘッドドライバ２４２を介して記録ヘッド４１を駆動する。なお、シリアル型画像形成装置に適用した場合にはヘッド移動部２６３の移動を検知するエンコーダセンサからの検知信号から記録ヘッドの位置で定まる滴吐出タイミングで記録ヘッドを駆動する。
【００４４】
同様に、吐出駆動制御部２７１はエンコーダセンサ８２からの検知信号（検知パルス）が入力されており、用紙１０の位置で定まる滴吐出タイミングで、ヘッドドライバ２７２を介して浸透液ヘッド７１を駆動する。なお、シリアル型画像形成装置に適用した場合にはヘッド移動部２６３の移動を検知するエンコーダセンサからの検知信号から記録ヘッドの位置で定まる滴吐出タイミングで記録ヘッドを駆動する。
【００４５】
次に、本実施形態で使用している浸透液の一例について説明する。
【００４６】
本発明で使用する透明な水性浸透液は、水、溶剤に加え、浸透性を高めるための微量の界面活性剤を含んで構成される。
【００４７】
界面活性剤は浸透液と用紙の濡れ性を向上させ、浸透速度を調整する目的で添加される。界面活性剤としては、下記式（Ｉ）〜（ＩＶ）で表されるものが好ましい。すなわち、下記式（Ｉ）のポリオキシエチレンアルキルフェニルエーテル系界面活性剤、式（ＩＩ）のアセチレングリコール系界面活性剤、下記式（ＩＩＩ）のポリオキシエチレンアルキルエーテル系界面活性剤ならびに式（ＩＶ）のポリオキシエチレンポリオキシプロピレンアルキルエーテル系界面活性剤は、液の表面張力を低下させることができるので、濡れ性を向上させ、浸透速度を高めることができる。
【００４８】
【化１】
2014043030.tif 000003
（Ｒは分岐していても良い炭素数６〜１４の炭化水素鎖、ｋは５〜２０）
【００４９】
【化２】
2014043030.tif 000004
（ｍ、ｎは０〜４０）
【００５０】
【化３】
2014043030.tif 000005
（Ｒは分岐していても良い炭素数６〜１４の炭化水素鎖、ｎは５〜２０）
【００５１】
【化４】
2014043030.tif 000006
（Ｒは炭素数６〜１４の炭化水素鎖、ｍ、ｎは２０以下の数）
【００５２】
前記式（Ｉ）〜（ＩＶ）の化合物以外では、例えばジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等の多価アルコールのアルキル及びアリールエーテル類、ポリオキシエチレンポリオキシプロピレンブロック共重合体等のノニオン系界面活性剤、フッ素系界面活性剤、エタノール、２−プロパノール等の低級アルコール類を用いることができるが、特にジエチレングリコールモノブチルエーテルが好ましい。
【００５３】
また、本発明で使用する水性浸透液の表面張力は、１５〜３０ｄｙｎｅ／ｃｍであることが好ましく、水性インクとの差異及び用紙との濡れ性との観点からは２０〜２５ｄｙｎｅ／ｃｍの表面張力であることがさらに好ましい。
【００５４】
次に、本発明の第１実施形態について図５を参照して説明する。図５は同実施形態における記録液である水性インクの液滴と水性浸透液の液滴の着弾位置関係及び用紙への浸透状態を説明する説明図である。
【００５５】
記録ヘッド４１から吐出する水性インクの液滴３００は、形成する画像に応じて吐出されて用紙１０に着弾する。このとき、水性インクの液滴３００は、画像の高濃度化のため用紙１０の表面に広がり、中心部の用紙１０内への浸透は抑制されたものとなっている。このため、用紙１０は、液滴３００で画像を形成する画像形成面１０ａと、画像形成面１０ａと反対の面（裏面ともいう。）１０ｂとで液滴付着による膨張率が異なり、用紙１０は画像形成面１０ａ側が矢印Ａ方向に伸びることになって、用紙１０にカールが生じる。
【００５６】
そこで、画像形成面３ａであって、水性インクの液滴３００が着弾していない領域に対して、浸透液ヘッド７１から透明な水性浸透液の液滴４００を吐出させて着弾させる。
【００５７】
この浸透液の液滴４００は、水性インクの液滴３００よりも浸透性が高い（浸透液は記録液としての液体よりも浸透性が高い）ことから、用紙１０の画像形成面１０ａで広がることなく用紙１０内に浸透し、例えば用紙１０の裏面１０ｂまで到達する。
【００５８】
この浸透液の液滴４００によって、用紙１０全体が矢印Ｂ方向に伸びる。つまり、水性インクの液滴３００による画像形成面１０ａの伸びを浸透液の液滴４００による用紙１０全体の伸びでキャンセルすることで、用紙１０の裏面１０ｂに発生するカールを低減することができる。
【００５９】
すなわち、水性インクの液滴３００が連続して着弾された場合、矢印Ａで示された伸びが複数連なり大きなカールを引き起こすが、水性インクの液滴３００間や周辺に浸透液の液滴４００を着弾させることで、用紙全体を矢印Ｂ方向に引き伸ばすことができ、水性インクの液滴３００によるカールにも紙面に平行な方向に引き伸ばす力が付与されるため、相対的にカール量が小さくなる。
【００６０】
このように、用紙の記録ヘッドからの液滴が着弾し又は着弾した領域以外の領域の少なくとも一部に水性浸透液を塗布することで、浸透液が画像形成用の液体（記録液）に対して影響を及ぼすことを低減しつつ、カールを低減ないし抑制することができる。
【００６１】
なお、ここでは、水性インクの液滴３００が着弾した後に水性浸透液の液滴４００を着弾させるように記載しているが、両液滴の着弾領域が重ならなければ、先に水性浸透液の液滴４００を着弾させてもよい。
【００６２】
ここで、浸透液の液滴４００の吐出量は水性インクの液滴３００の吐出量とほぼ同じ（同じを含む。）であることが好ましい。また、浸透液の総吐出量も水性インクの総吐出量とほぼ同じであることがより好ましい。なお、本願において吐出量或いは総吐出量が「ほぼ同じ」とはプラスマイナス２０％までの範囲を含む意味で使用している。この範囲であれば、十分なカール低減効果を得ることができる。
【００６３】
また、ここでは、記録ヘッド４１と浸透液ヘッド７１とを用紙の同じ面側に配置しているが、例えば浸透液ヘッド７１は用紙の画像形成面と反対の面（裏面）側に配置して、画像形成面の記録ヘッド４１からの液滴が着弾し又は着弾した領域に対向する裏面側の領域以外の領域に、浸透液を塗布するようにすることもできる。
【００６４】
つまり、片面印刷の場合、用紙の裏面（画像形成面とは反対の面）は「記録ヘッド４１からの液滴が着弾する又は着弾した領域以外の領域」となるが、表面まで浸透した浸透液による画像品質の低下を低減するために、記録ヘッド４１からの液滴が着弾する又は着弾した領域に対向する裏面側の領域も避けて浸透液を塗布する。
【００６５】
次に、水性浸透液の塗布領域（形成領域）の一例について図６を参照して説明する。図６は同説明に供する用紙上での画像形成領域と浸透液塗布領域の一例を示す平面説明図である。
【００６６】
記録ヘッド４１によって水性インクの液滴３００を吐出着弾させて例えば画像領域１２０ａ、１２０ｂ、１２１ａ、１２１ｂが形成される。
【００６７】
ここで、画像領域１２０ａ、１２０ｂは、比較的印字デューティ（画像形成領域全体に対する液滴着弾領域）の低い画像、例えば、テキスト印字や簡単な表やグラフを表し、５〜１０％程度の印字デューティの画像である。
【００６８】
また、画像領域１２１ａ、１２１ｂは、比較的印字デューティ（画像形成領域全体に対する液滴着弾領域）の高い画像、例えば、写真や複雑なグラフなどを表し、１０％を超ええる印字デューティの画像である。
【００６９】
この場合、画像領域１２０ａ、１２１ａに対しては、浸透液領域（浸透液の液滴４００を着弾させた領域）１２３ａ、１２４ａは、画像領域１２０ａ、１２１ａを枠状に取り囲むように、画像形成領域１２０ａ、１２１ａを中心として搬送方向、搬送方向に直交する方向ともに線対称となるような対称性を持つように形成している。
【００７０】
このように形成することで、枠状に形成された浸透液領域１２３ａ、１２４ａが浸透液の塗布により伸び、これにより枠内の領域には領域を広げる方向の力が作用する。この力により画像形成領域１２０ａ、１２１ａに生じるカールは引き伸ばされ、カール量を低減することができる。
【００７１】
このとき、浸透液領域１２３ａ、１２４ａの浸透液の塗布量は、それぞれの取り囲む領域の画像形成領域１２０ａ、１２１ａの印字デューティに合わせて、浸透液領域１２４ａを、浸透液領域１２３ａよりも多くしている。このようにすることで、用紙の中で部分的に印字デューティが異なる場合であっても、カール量を均一化することができる。
【００７２】
また、画像領域１２０ｂ、１２１ｂに対しては、浸透液領域１２３ｂ、１２４ｂは画像領域１２０ｂ、１２１ｂを枠状に取り囲むだけではなく、画像領域１２０ｂ、１２１ｂの領域内にも浸透液を塗布している。これにより、カール低減の効果をより大きくすることができる。
【００７３】
前述の枠状の浸透液領域の配置では、枠状の浸透液領域１２４ａによって画像形成領域１２１ａを引っ張ることでカールは低減するものの、水性インクの液滴３００の着弾が連続する画像形成領域１２１ａ自体は大きくカールしようとする力を内包している（例えば、画像形成領域１２１ａだけを切り出すと大きくカールしてしまう。）。
【００７４】
これに対し、浸透液領域１２４ｂのように枠状だけでなく、画像形成領域にも浸透液塗布を行うことにより、水性インクの着弾位置間に浸透液領域を設けることができるため、水性インクの着弾によるカールが連続して全体が大きくカールしてしまうことを防止することができる。このような塗布を行うことで、前述のように画像形成領域（１２１ｂ）だけを切り出したとしても画像形成領域のカールは極めて小さくなる。
【００７５】
このとき、浸透液領域１２３ｂ、１２４ｂの浸透液の塗布量は、それぞれに対応する画像形成領域１２０ｂ、１２１ｂの印字デューティに合わせて、浸透液領域１２４ｂを、浸透液領域１２３ｂよりも多くしている。このようにすることで、用紙の中で部分的に印字デューティが異なる場合であっても、カール量を均一化することができる。
【００７６】
次に、浸透液領域１２３ｂ、１２４ｂで用いる画像領域内に浸透液領域を含ませる塗布について図７を参照して説明する。図７は画像領域のドット配置の拡大説明図である。
【００７７】
ここでは、画像領域は、インクの液滴３００を所定の解像度で着弾させたドットで形成されている。そこで、画像領域内で、インクの液滴３００が着弾していない領域（インクの液滴３００のドット間）に、浸透液ヘッド７１から浸透液の液滴４００を着弾させることで、画像領域内に浸透液のドットを埋め込んでいる。
【００７８】
このように浸透液を塗布することによって、より効果的にカールを低減ないし抑制することができる。
【００７９】
次に、浸透液領域の形成パターンの他の異なる例について図８ないし図１０を参照して説明する。
【００８０】
図８に示す第１例は、用紙１０に対して「×」状の浸透液領域１３１を形成したものである。この場合には、画像領域内にも浸透液のドットを形成することになるので、前述した図７で説明したように、画像ドット（インクの液滴３００のドット）間に浸透液の液滴４００を打ち込んで、全体として「×」状に形成する。
【００８１】
前述した図６に示すように画像形成領域を枠状に囲んで浸透液塗布を行う場合、用紙の外周領域の大半に浸透液が打ち込まれることになり、用紙のコシがなくなり搬送性を低下させる場合がある。この点、図８に示す第１例であれば、用紙外周領域の浸透液塗布量が抑えられるため、用紙全体のコシは維持できる。また、浸透液塗布により用紙は対角線方向に引き伸ばされる力が働くため、この力により図６の例と同様に画像形成領域のカールは低減される。
【００８２】
図９に示す第２例は、同図（ａ）に示すように用紙１０の周縁部（余白部分）に浸透液領域１３２を形成したものである。この場合、前述のように用紙のコシがなくなり搬送性を低下させる場合があるため、浸透液領域１３２は均一に浸透液が塗布される構成ではなく、例えば同図（ｂ）に示すようなパターン１３３を繰り返し形成して、塗布部と非塗布部を形成している。このようにすることで、浸透液領域１３２を用紙１０の周縁部に形成した場合でも用紙のコシを維持することができる。
【００８３】
図１０に示す第３例は、用紙１０の目の方向（ここでは、矢印方向とする）と交差する方向に浸透液領域１３４を形成している。
【００８４】
このように、カールが生じやすい方向に限定して浸透液領域１３４を形成することで、浸透液の塗布量を増やすことなく、カールを低減ないし抑制することができる。
【００８５】
次に、本発明の第２実施形態について図１１を参照して説明する。図１１は同実施形態における記録液である水性インクの液滴と水性浸透液の液滴の着弾位置関係及び用紙への浸透状態を説明する説明図である。
【００８６】
本実施形態では、用紙１０の両面（前述した画像形成面１０ａ及び反対面１０ｂ）にインクの液滴３００を着弾させて画像を形成する両面印字を行っている。
【００８７】
そして、用紙１０の両面において、インクの液滴３００が着弾しない領域に浸透液の液滴４００を着弾させて塗布する。
【００８８】
この場合は、用紙１０の両面とも画像形成面となるので、画像形成面である一方の面１０ａに浸透液の液滴４００を着弾させるときには、一方の面１０ａのインクの液滴３００が着弾する領域以外の領域であって、かつ、他方の面１０ｂのインクの液滴３００が着弾する領域以外の領域に、浸透液の液滴４００を着弾させて塗布する。
【００８９】
同様に、画像形成面である他方の面１０ｂに浸透液の液滴４００を着弾させるときには、他方の面１０ｂのインクの液滴３００が着弾する領域以外の領域であって、かつ、一方の面１０ａのインクの液滴３００が着弾する領域以外の領域に、浸透液の液滴４００を着弾させて塗布する。
【００９０】
つまり、両面印刷を行うときには、用紙の一方の面の記録ヘッドからの液滴が着弾し又は着弾した領域以外の領域であって、かつ、用紙の他方の面の記録ヘッドからの液滴が着弾し又は着弾した領域に対向する領域以外の領域に、浸透液を塗布する。
【００９１】
これにより、一面（一方の面及び他方の面のいずれかの面）のインクの液滴３００と他面（一面と反対側の面）の浸透液の液滴４００とが干渉することがなくなり、画像品質の低減を防止しつつ、カールを低減できる。
【００９２】
次に、本発明に係る画像形成装置の他の例について図１２及び図１３を参照して説明する。図１２及び図１３は同画像形成装置の概略構成図である。
【００９３】
図１２に示す第１例は、浸透液ヘッド７１を画像形成部２５の用紙搬送方向上流側の位置に配置して、画像形成前に浸透液を塗布するようにしている。
【００９４】
図１３に示す第２例は、浸透液ヘッド７１を画像形成部２５内に配置して、画像形成中に浸透液を塗布している。
【００９５】
このように、画像形成前、画像形成中に浸透液を塗布することによっても、カールを低減ないし抑制することができる。前述の通り、浸透液の液滴とインクの液滴は同じ位置には着弾しない構成をとるため、浸透液もしくはインクの乾燥を考慮して浸透液ヘッド７１と記録ヘッド４１との間を離間する必要がなく、浸透液ヘッド７１を図１２のように記録ヘッドの直前に配置したり、図１３のように記録ヘッド間に配置したりしても形成される画像品質には影響は与えることはない。
【００９６】
なお、本願において、「用紙」とは材質を紙に限定するものではないが、水性液体が浸透可能な液体が付着可能なものの意味であり、被記録媒体、記録媒体、記録紙、記録用紙などと称されるものを含む。また、画像形成、記録、印字、印写、印刷はいずれも同義語とする。
【００９７】
また、「画像形成装置」は、用紙に液体を吐出して画像形成を行う装置を意味し、また、「画像形成」とは、文字や図形等の意味を持つ画像を媒体に対して付与することだけでなく、パターン等の意味を持たない画像を用紙に付与すること（単に液滴を媒体に着弾させること）をも意味する。
【００９８】
また、「インク」とは、特に限定しない限り、インクと称されるものに限らず、記録液、液体などと称されるものなど、画像形成を行うことができるすべての液体の総称として用い、例えば、ＤＮＡ試料、レジスト、パターン材料、樹脂なども含まれる。
【００９９】
また、「画像」とは平面的なものに限らず、立体的に形成されたものに付与された画像、また立体自体を三次元的に造形して形成された像も含まれる。
【０１００】
また、画像形成装置には、特に限定しない限り、シリアル型画像形成装置及びライン型画像形成装置のいずれも含まれる。
【符号の説明】
【０１０１】
１０  被記録媒体（用紙）
２１  搬送機構部
２５  画像形成部
４１  記録ヘッド（液体吐出ヘッド）
７１  浸透液ヘッド
２００  制御部
２４１  吐出駆動制御部
２７１  吐出駆動制御部
３００  インクの液滴
４００  浸透液の液滴
【図１】
2014043030.tif 000007
【図２】
2014043030.tif 000008
【図３】
2014043030.tif 000009
【図４】
2014043030.tif 000010
【図５】
2014043030.tif 000011
【図６】
2014043030.tif 000012
【図７】
2014043030.tif 000013
【図８】
2014043030.tif 000014
【図９】
2014043030.tif 000015
【図１０】
2014043030.tif 000016
【図１１】
2014043030.tif 000017
【図１２】
2014043030.tif 000018
【図１３】
2014043030.tif 000019